Podtech/llm-jp-corpus-v4-ja_patent huggingface dataset:
(57)【要約】【課題】  従来の米とぎ作業では、冷たい水を使い手でといだり、ザルでとぎ水を漉したり、とぎおわった米を炊飯釜に移したりする手順で行っていた。よって冷たい水で濡れるのは避けられなかった。【解決手段】  とぎ水を、サイフォン作用を利用してすべて排出するように、水路を設けるとともに、とぎ終わった米を適量の水とともに排出する排出口を設けることで、米とぎ作業の簡略化を計ることができる。【選択図】図１
2009195668.tif 000002
【特許請求の範囲】
【請求項１】
器内の水位が任意の位置まで上がると、サイフォン作用により、器の底から、その水がすべて排水するような水路を設けた米とぎ器。
【請求項２】
器の底部に、栓で開閉できる、排出口および排出路を設けた米とぎ器。
【請求項３】
器に、サイフォン作用で排水する以上の水が注がれるとき、その水が器から水があふれ出ないように、器の上部に排水口及び水路を設けた米とぎ器。
【発明の詳細な説明】
【技術分野】
【０００１】  本発明は、米とぎ器に関するものである。
【背景技術】
【０００２】  従来の米とぎ器には、ザルでとぎ汁を漉したり、水道の水圧で米を洗浄するタイプのものがある。
【発明の開示】
【発明が解決しようとする課題】
【０００３】  従来の米とぎ器では、水を切るとき、ザルを引き上げたり、ザルから炊飯釜に移し変えたりしなければならず、少なからず手は濡れるし手間もかかった。
【課題を解決するための手段】
【０００４】  本発明は、上記課題を解決する手段として、サイフォン作用を利用して、米のとぎ汁を排出するようにしたものである。【０００５】  また、器の底部に栓で開閉できる排出口を設けることによって、とぎ終った米と適量の水を下側へ排出できるようにした。
【発明の効果】
【０００６】  本発明の器を、炊飯釜の上に装着して、水をそそぎながら米をかくはん棒などでかき回してとぐと、とぎ水は任意の水位を超えた時点でサイフォン作用により排出し始め、その作用は水がなくなると止まり、また任意の水位まで水を入れることができる。【０００７】  とぎ終わった米の入った器に、適量の水を入れ、器底部の栓を開けると、米と水は炊飯釜に入る。【０００８】  よって本発明の器を使うことで、米とぎ作業の簡略化を計ることがでる。
【発明を実施するための最良の形態】
【０００９】  以下、本発明の実施の形態を添付図面に基づいて説明する。【００１０】  図のような、ボウル状の器本体１の底に漉し網６を設けて、それに続いてサイフォン作用を起こす水路であるパイプ２を設ける。【００１１】  器の底の中心部に、米と水の排出用のパイプ３を設け、その上部は栓５で開閉できるようにする。【００１２】  器の上部、サイフォン作用を起こすパイプの上部の曲がりより上に、あふれ出しを防止するための排水用の水路であるパイプ４を設ける。【００１３】  図のような実施形態にし、米をいれ、水をそそぎながら、かくはん棒等でかき混ぜながら米をとぐ。【００１４】  水は、サイフォン作用が起き始めるパイプ２の上部の曲がりの高さまで、溜まり続ける。【００１５】  器内の水位がパイプ２の上部の曲がりの高さを越すとサイフォン作用が始まり、漉し網を通過したとぎ水が、すべて排出される。【００１６】  排出される水より、そそがれる水が多い場合は、上部排水パイプ４より排出され、そそぐ水を止めると、とぎ水はすべてサイフォン作用により排出される。【００１７】  水がすべて排出されるとサイフォン作用が停止し、器内の水位が再びパイプ２の上の曲がりの高さを超すまでサイフォン作用は起きない。【００１８】  米がとぎ終わったら、適量の水を入れて、底栓５を開けると水と米は下に排出される。
【図面の簡単な説明】
【００１９】
【図１】  本発明の実施形態を示す米とぎ器の部分断面図
【符号の説明】
【００２０】１  器本体
２  サイフォン作用を起こすパイプ
３  米と水の排出用パイプ
４  あふれ出し防止のためのパイプ
５  底栓
６  漉し網
【図１】
2009195668.tif 000003
(57)【要約】【課題】重力鉄道の理想的なスロープの具体的形状を提供する。【解決手段】上部から落ちる部分を比較的小さな円の円弧を軌道として使用、最下部付近で比較的大きな円の円弧の軌道を使い、適度な傾斜を持つ直線で両者の間に共通接線を引き、その部分を下降直線軌道とした。【選択図】図１
2009195667.tif 000002
【特許請求の範囲】
【請求項１】
駅中心部より真下、ｒ１の距離のところに中心を持つ、半径ｒ１の円弧（１）とスロープ最下部の真上ｒ２の距離に中心を持つ半径ｒ２の円弧（２）、および、その共通接線（３）の直線部とより構成されることを特徴とする重力鉄道のスロープ軌道。
【発明の詳細な説明】
【技術分野】
【０００１】  本発明は鉄道の一種である重力鉄道における、地下に掘り込むスロープ軌道の形状に関するものである。
【背景技術】
【０００２】  従来、地下に造ったジェットコースターのような鉄道のアイデアは、以前本出願人が申請したことがある。しかしその下降、上昇トンネル軌道の具体的形状までは考えられていなかった。
【発明の開示】
【発明が解決しようとする課題】
【０００３】  地上の駅から最下部の水平機動までなだらかな曲面軌道が必要になるわけであるが、いかにしたら、速さと、乗り心地の良さと、建設維持の容易さを実現出来るかということで悩んでいた。最初に考えられる形は、上下点対称のスロープであったが、これでは、最初の加速が悪い、下方部で大きな遠心力が働くという欠点があった。またスロープの曲率が場所によって次々と変わると、トンネルの建造過程も難しく、線路のレールを作るにも、きわめて複雑になり、大幅な経費増ということになる。また一部にかなりの急斜面が出来てしまうということも、問題になっていた。
【課題を解決するための手段】
【０００４】  上下両端のスロープの形を共に、円軌道の一部（１）（２）とし、両円の共通接線（３）を直線部分として起動のスロープを造った。また上部の円軌道の半径を小さく、下部の円軌道の半径を大きくした。接線のスロープの傾斜角はこれを変えると、接点の位置が変わるだけで、共通接線が引ける範囲で、あるていど自由に設定できるものである。傾斜は大きいほど、速度の面で有利になるのだが、実用上の便利さを大幅に向上する限界というものがある。それはレール上の車輪が止まった状態で、滑っていくことなく、静止摩擦の力で止まっていられるという限界の傾斜角である。この摩擦力は、車輪とレールの材質だけでなく、さびやほこりなどによっても変わるが、実用上意図的に油を塗るなどとゆうことはないので、実際のテストで簡単に求められる。
【発明の効果】
【０００５】  スロープ建設時、カーブの曲率が一定のため、造りやすく、これはレールの製造時にも同様である。上部駅付近では車両のスピードが遅いため、かなり曲率が大きくても、乗り心地はあまり悪くなく、すぐ急斜面に入れるため、加速に時間がかからず、速さの面で有利である。下部の軌道の曲率が大きいことは、その部分では車両のスピードが速いため、その遠心力を和らげ、乗り心地を良くする。
もっとも加速が得られる急な坂の部分を、直線として長く取るということは、全体として同じ下降をしなければならないとき、極端な傾斜面という坂のピークがなくなり、よりなだらかな下降を可能にする。
傾斜角は大きすぎると、危険でもあり、造るのに困難、維持点検も難しくなるほか、乗り心地が悪くなる。小さすぎると速さが遅くなる欠点を持つ。
また特許請求の範囲には入れなかったが、傾斜角の実用限界の話は重要である。地震などで、途中ブレーキをかけたりしたために、速度が落ち、坂を上りきれない状態になったとき、上りきれた場所で、ブレーキをかけて止まっていられるということは、その後の処理に非常に役に立つからである。このような緊急時は駅から出る、ロープで引き上げる。
【発明を実施するための最良の形態】
【０００６】  図にしめしたものは、上部スロープを形成する円の半径ｒ１が深さと同じｈ、下部スロープを形成する円の半径ｒ２がその３倍の３ｈ、傾斜角およそ２３度のものである。この場合は駅から最深部までの水平距離が３ｈになっている。この距離を先に決めると、傾斜角θはひとりでに決まってしまい、図の場合は、それを分度器ではかった結果が２３度というものである。ふつうは、上述ｒ１の大きさが０．５ｈ＜ｒ１＜１．５ｈ、かつ、ｒ２の大きさが  ２ｈ＜ｒ２＜４ｈ、かつ  １５度＜θ＜３０度  の範囲にある。
深さにあたるｈが１００ｍとして、長さが４０ｍの２両連結電車を描くと、ほぼ図のような大きさになる。ｒ１の大きさをあまり小さくすると、車両１両の長さを、短くしたり、車輪の径を大きくしないと、腹の部分が線路につかえてしまうことになる。図では駅やトンネルは省略してある。
【図面の簡単な説明】
【０００７】
【図１】  本発明の代表的なスロープ軌道
【符号の説明】
【０００８】１  半径ｈの円弧軌道
２  半径３ｈの円弧軌道
３  共通接線の直線軌道
４  車両
５  地表面
６  深さ（ｈ）
７  直線部の傾斜角  θ
【図１】
2009195667.tif 000003
(57)【要約】【課題】本願発明は、屋上など風当たりの強い場所でも育成可能な植物の育成具を提供することにある。【解決手段】本発明は、縦横に連結可能な連結部を有するプランター内に培養土を充填し、当該プランター上部を風除け部材にて覆い、植物培養基材とコケもしくは／および匍匐植物と水分とを混合し粘土状とし、当該粘土状とした混合物をプランター内培養土に散布した植物の育成具である。コケあるいは匍匐植物の生育のため、風の強い場所でも水分の蒸発を抑え、吹き飛ばされないよう、風除けを設けた。【選択図】図1
2009195191.tif 000002
【特許請求の範囲】
【請求項１】
縦横に連結可能な連結部を有するプランター内に培養土を充填し、当該プランター上部を風除け部材にて覆い、コケ培養基材とコケと水分とを混合し粘土状とし、当該粘土状とした混合物をプランター内培養土に散布したコケの育成具。
【請求項２】
縦横に連結可能な連結部を有するプランター内に培養土を充填し、当該プランター上部を風除け部材にて覆い、匍匐植物培養基材と匍匐植物と水分とを混合し粘土状とし、当該粘土状とした混合物をプランター内培養土に散布した匍匐植物の育成具。
【発明の詳細な説明】
【技術分野】
【０００１】
本発明は、コケおよび／もしくは匍匐植物を利用する緑化用の植物の育成具の技術に属する。
【背景技術】
【０００２】
従来、緑化方法は芝などの植物を利用する方法が一般的であるが、屋上、壁面など通常の植物が育成しにくい場所ではコケを用いた緑化方法が提案されている。
特開2004-141030には、基盤材料として焼成珪藻土粉末とバインダーとしてのセメントからなり基盤材料の固化前に生ゴケを載置して一体化させたものを屋上に敷設する方法が開示されている。
特開2005-21026には、セダムシュートとコケ配偶体とを組み合わせ水分と調整、客土の流出を防ぐ方法が開示されている。
特開2006-304710には、切断したコケとパーキュムライトなどの土状粒子と接着剤と水とを混合しスラリー状とし岩盤に噴霧して岩盤に保持させ、緑化する方法が開示されている。
特にコケによる屋上の緑化ではコケの根は他の植物と異なり、根の発育が劣る。そのため風の影響を強く受け、乾燥したりすると土壌ごと吹き飛ばされることも起こり十分な生育が得られない。
【特許文献１】特開2004-141030
【特許文献２】特開2005-21026
【特許文献３】特開2006-304710
【発明の開示】
【発明が解決しようとする課題】
【０００３】
本願発明は、屋上・壁面など風当たりの強い場所でも育成可能な植物の育成具を提供することにある。
【課題を解決するための手段】
【０００４】
本第1の発明は、縦横に連結可能な連結部を有するプランター内に培養土を充填し、当該プランター上部を風除け部材にて覆い、コケ培養基材とコケと水分とを混合し粘土状とし、当該粘土状とした混合物をプランター内培養土に散布したコケの育成具である。
本第2の発明は、縦横に連結可能な連結部を有するプランター内に培養土を充填し、当該プランター上部を風除け部材にて覆い、匍匐植物培養基材と匍匐植物と水分とを混合し粘土状とし、当該粘土状とした混合物をプランター内培養土に散布した匍匐植物の育成具である。
コケあるいは匍匐植物の生育のため、風の強い場所でも水分の蒸発を抑え、吹き飛ばされないよう、風除けを設けた。
【発明の効果】
【０００５】
風除け部があるため、屋上・壁面など風の強い場所でも乾燥及び培養土の吹出が防げるため、コケあるいは匍匐植物の生育が妨げられない。植物培養基材とコケあるいは匍匐植物と水分とを混合し粘土状とし、当該粘土状とした混合物をプランター内培養土に散布したため根の生育するまで乾燥が防げるためコケおよび匍匐植物の育成が促進される。
【発明を実施するための最良の形態】
【０００６】
以下本第1の発明であるコケの育成具につき、図を用いて、より詳細に説明する。
図１は、コケの育成具の一例をその平面図および断面図でしめしたものである。図に示したように本コケの育成具は下部がプランター部であり、上部が風除け部である。図2は本コケの育成具にコケが成長した状態を示す。
【０００７】
プランター部にはコケの培養土が充填され、コケ培養基材とコケと水分とを混合し、粘土状とし、小さな粒状あるいはフレイク状としてコケの培養土上に散布する。散布したコケの育成具を所定の屋上あるいは壁面に連結してコケの育成を待つ。
プランター部には左右前後に連結するための連結具を設けておくことが好ましい。連結具は雄雌継ぎ手など既存の技術が使用できる。
【０００８】
風除け部はプランター部上に載置・連結され、図では格子状に構成されている。
育成するコケの種類に応じて風除け部の高さは調整できる。風除け部はコケの基部に直接風が当たらないようにするものならその形状は問わない。
【０００９】
コケ培養基材はパーク、土、保水材などを適宜混合して使用する。コケの培養土は、その表面にコケが育成できるものなら砂利、軽石、パーキュムライト、パーライト、ゼオライト、珪藻土など各種の軽量土あるいは鹿沼土、赤玉土の塊が適宜使用される。
【００１０】
芝などの匍匐植物を対象とする場合においても上記と同様である。
プランターには匍匐植物用の培養土が充填され、匍匐植物培養基材と芝をばらばらにほぐした状態で水分と混合し、粘土状とした後、適宜粒状あるいはフレイク状として、培養土壌に散布した後、所定の場所に連結して設置する。匍匐植物の培養基材、培養土なども上記と同様匍匐植物にあわせ既存の土壌、人工培養度などから選択使用できる。
【図面の簡単な説明】
【００１１】
【図１】は、本発明のコケ及び匍匐植物育成具を示す概念図である。
【図２】は、本発明のコケ及び匍匐植物育成具にコケが生育した状態を示す概念図である。
【符号の説明】
【００１２】
１  コケ及び匍匐植物の育成具
２  プランター
３  風除け部  
【図１】
2009195191.tif 000003
【図２】
2009195191.tif 000004
(57)【要約】      （修正有）【課題】動物性有機物（牛糞・豚糞・鳥糞・魚滓）や植物性有機物（木質廃材・農産物廃材・食品残渣）などの天然有機物を、確実に堆肥化することができ、土壌有用微生物を利用した土壌改良剤の提供。【解決手段】土壌有用微生物と天然有機物を水と混合して撹拌する撹拌工程と、該撹拌工程によってできあがった水溶液を使った溜め漉き作業によりシート状に発酵促進剤を形成する溜め漉き工程と、該溜め漉き工程によってできあがったシート状発酵促進剤を日影乾燥させて仕上げる乾燥仕上げ工程を経て製造される微生物配合シート状発酵促進剤及びその製造方法。【選択図】図３
2009195108.tif 000002
【特許請求の範囲】
【請求項１】
土壌有用微生物と天然有機物とによってシート状に乾燥形成したことを特徴とする微生物配合シート状発酵促進剤。
【請求項２】
土壌有用微生物と天然有機物を水と混合して撹拌する撹拌工程と、該撹拌工程によってできあがった水溶液を使った溜め漉き作業によりシート状に発酵促進剤を形成する溜め漉き工程と、該溜め漉き工程によってできあがったシート状発酵促進剤を日影乾燥させて仕上げる乾燥仕上げ工程を経て製造することを特徴とする微生物配合シート状発酵促進剤の製造方法。
【発明の詳細な説明】
【技術分野】
【０００１】
本発明は、有用微生物（Ｂａｃｉｌｌｕｓ郡、Ｐｓｅｕｄｏｍｏｎａｓ、郡Ｐｉｃｈｉａ郡）の作用により動物性有機物（牛糞・豚糞・鳥糞・魚滓）や植物性有機物（木質廃材・農産物廃材・食品残渣）を発酵分解させる微生物配合シート状発酵促進剤及びその製造方法に関するものである。
【背景技術】
【０００２】
家庭や企業から排出される動物性有機物（牛糞・豚糞・鳥糞・魚滓）や植物性有機物（木質廃材・農産物廃材・食品残渣）を土壌改良材へリサイクルし、再利用することにより環境問題解決の一端を担うとともに、廃棄物として処理していたものを土壌改良材として商品価値のある物へとすることが出来る。
【発明の開示】
【発明が解決しようとする課題】
【０００３】
動物性有機物（牛糞・豚糞・鳥糞・魚滓）や植物性有機物（木質廃材・農産物廃材・食品残渣）を堆肥化するまでには６ヶ月〜１年を必要とする。完熟堆肥となるまでは臭気を発し、堆肥化する場所など周囲の環境に配慮しなくてはならなかった。
【０００４】
本発明の微生物配合シート状発酵促進剤によれば、動物性有機物（牛糞・豚糞・鳥糞・魚滓）や植物性有機物（木質廃材・農産物廃材・食品残渣）を2ヶ月で完熟した堆肥を作ることができる。
【課題を解決するための手段】
【０００５】
本発明は、動物性有機物（牛糞・豚糞・鳥糞・魚滓）や植物性有機物（木質廃材・農産物廃材・食品残渣）を堆肥化する微生物配合シート状発酵促進剤及びその製造方法にあって、土壌有用微生物と天然有機物を水と混合撹拌し、微生物・天然有機物・水が均一に混ざり合せ、紙漉の原理によりメッシュ状の物の上に掬い集め、日影乾燥させて仕上げる乾燥仕上げ工程と、該乾燥仕上げ工程を経てできあがった微生物配合シート状発酵促進剤及びその製造方法を提供するものである。
【発明の効果】
【０００６】
本発明の微生物配合シート状発酵促進剤を用いることにより、素人の者でも該微生物配合シート状発酵促進剤を水に溶かした水溶液を正確に・均一に動物性有機物（牛糞・豚糞・鳥糞・魚滓）や植物性有機物（木質廃材・農産物廃材・食品残渣）に散布することができ、確実にこれら天然有機物を堆肥化できることになる。また、廃棄物処理による公害問題を生じないことにもなる。
【発明を実施するための最良の形態】
【０００７】
本発明は、土壌有用微生物と天然有機物を１５０ｍｍ×２１０ｍｍ×５ｍｍのシート状に形成する微生物配合シート状発酵促進剤及びその製造方法を提供するものであり、本発明により製造された微生物配合シート状発酵促進剤を使うことにより天然有機物を確実に堆肥化できることになる。
【実施例】
【０００８】
本発明の実施例を図面にしたがって説明する。図１は、本発明の微生物配合シート状発酵促進剤の原料を示すものである。
【０００９】
土壌有用微生物と天然有機物をシート状に成形する方法は具体的に説明すると次の通りである。
１．水１０〜２０リットル用意する。
２．長方形の容器（ステンレス・アルミ・プラスチック）に水をはり、微生物、樹皮、
木炭、木酢、糖分を水の中に投入し攪拌する。（１０〜１５分間）
【００１０】
次に紙漉の原理により２５０ｍｍ×１７０ｍｍメッシュ状の物の上に掬い集める。この
時厚さが７ｍｍになるまですくい集める。
１．乾燥する際に水分が蒸発し縮み、薄くなるため、完成製品よりも大きなサイズですくい集める。
２．厚さも７ｍｍに出来るまですくい集める。乾燥して商品が出来上がった際に５ｍｍの厚みを作るため。
【００１１】
すくい集めたものを形が崩れないように通気性の良い場所で日影乾燥させる。
【図面の簡単な説明】
【００１２】
【図１】本発明の微生物配合シート状発酵促進剤の原材料及び含有量の表である。
【図２】本発明の微生物配合シート状発酵促進剤の製造工程流れ図である。
【図３】本発明の微生物配合シート状発酵促進剤の完成図である。
【符号の説明】
【００１３】
１    撹拌工程
２    溜め漉き工程
３    乾燥工程
【図１】
2009195108.tif 000003
【図２】
2009195108.tif 000004
【図３】
2009195108.tif 000005
(57)【要約】【課題】機器の未使用時は底板部に収容することで機器に埃が溜まるのを防止することができ、一つの部材で機器の搭載と、機器の収容ができ、低コストで製作することができる棚板を提供する。【解決手段】棚板１は前面を開放した略箱状に形成され、機器を載置する上板部２と、機器を収容する底板部３と、機器への配線を通線する切欠６を形成した側板部４と、取付面となるキャビネット１０の扉１１に着脱自在に取り付けるための取付部８を有する背板部５とで成り、背板部５の取付部８は、扉１１に設けられたフック１２に係止する溝状に形成し、フック１２に背板部５の取付部８を係止させることで扉１１に着脱自在に取り付ける。【選択図】図２
2009195574.tif 000002
【特許請求の範囲】
【請求項１】
垂直な取付面に取り付けられて機器を載置する棚板であって、前面を開放した略箱状に形成され、機器を載置する上板部と、前記機器を収容する底板部と、前記機器への配線を通線する切欠を形成した側板部と、前記取付面に着脱自在に取り付けるための取付部を有する背板部とで成ることを特徴とする棚板。
【請求項２】
前記取付面にフックを設け、前記背板部の取付部は前記フックが係止する溝状に形成し、前記フックに前記背板部の溝状の取付部を係止させて着脱自在に取り付けることを特徴とする請求項１に記載の棚板。
【発明の詳細な説明】
【技術分野】
【０００１】
本発明は、キャビネットなどに設けられて機器を載置する棚板に関する。
【背景技術】
【０００２】
従来の棚板は、垂直な取付面にブラケットを取り付け、ブラケット上に平板状の棚板を載置して棚板を設け、棚板上に機器を載置するようになっていた。棚板の取り付けは、ブラケットの後端に係止爪を設け、取付面にはブラケットの係止爪と対向する引掛孔を形成し、ブラケットの係止爪を取付面の引掛孔に係止させることにより取り付けていた（例えば、特許文献１参照。）。
【０００３】
【特許文献１】特開２００５−３１８９４１号公報
【発明の開示】
【発明が解決しようとする課題】
【０００４】
このように、従来の棚板は機器を載置すると機器の上部が開放しているので機器に埃が溜まってしまう欠点があった。機器に埃が溜まらないようにするには棚板の上に別の棚板及びブラケットを設けなければならず、コストが高くなっていた。また、棚板をキャビネットの扉に設ける場合は、扉に引掛孔が形成されるのでキャビネット内部に埃が侵入する欠点があった。
【課題を解決するための手段】
【０００５】
本発明は、請求項１に記載の発明によれば、垂直な取付面に取り付けられて機器を載置する棚板であって、前面を開放した略箱状に形成され、機器を載置する上板部と、機器を収容する底板部と、機器への配線を通線する切欠を形成した側板部と、取付面に着脱自在に取り付けるための取付部を有する背板部とで成ることを特徴とする。
【０００６】
請求項２に記載の発明によれば、請求項１に記載の棚板において、取付面にフックを設け、背板部の取付部はフックが係止する溝状に形成し、フックに背板部の溝状の取付部を係止させて着脱自在に取り付けることを特徴とする。
【発明の効果】
【０００７】
請求項１に記載の発明によれば、機器の未使用時は底板部に収容することで機器に埃が溜まるのを防止することができ、一つの部材で機器の搭載と、機器の収容ができ、低コストで製作することができるという効果がある。
【０００８】
請求項２に記載の発明によれば、請求項１に記載の発明の効果に加えて、棚板をキャビネットの扉に設ける場合にキャビネットに取り付けのための引掛孔を開けないのでキャビネット内部に埃が侵入しないという効果がある。
【発明を実施するための最良の形態】
【０００９】
棚板は前面を開放した略箱状に形成され、機器を載置する上板部と、機器を収容する底板部と、機器への配線を通線する切欠を形成した側板部と、取付面に着脱自在に取り付けるための取付部を有する背板部とで成り、背板部の取付部は、取付面に設けられたフックに係止する溝状に形成し、フックに背板部の取付部を係止させることで取付面に着脱自在に取り付ける。
【実施例１】
【００１０】
本発明に係る棚板の実施例１を図１〜図５の添付図面に基づいて説明する。
【００１１】
図１に示すように棚板１は、上板部２と、底板部３と、側板部４，４と、背板部５とで前面を開放した略箱状に形成されている。
【００１２】
上板部２及び底板部３は矩形状で例えばパソコンのキーボード等の機器が載置できるように形成され、側板部４，４は底板部５に機器を載置した場合に機器への配線を通線するために前面端から略Ｕ字状に切欠６が形成されている。また、背板部５は中央が矩形状に開口して、開口７の左右両上端縁が溝状に切り欠かれて取付部８が形成されている。
【００１３】
棚板１は、図２に示すように例えばキャビネット１０の扉１１の前面などに取り付けられ、取付面となる扉１１には棚板１の背板部５の取付部８に係止するフック１２が溶接等により設けられている。
【００１４】
棚板１は、図３に示すように扉１１のフック１２が背板部５の開口７に挿入するようにして背板部５を扉１１の表面に当接させ、図４及び図５に示すように棚板１を下にずらして扉１１のフック１２を溝状の取付部８に係止させることにより取り付けられる。また、背板部５の中央下部には挿通孔９が形成され、この挿通孔９にローレットネジ１７を挿通し、扉１１に形成されたタップ孔１３に螺着することにより、棚板１を扉１１に確実に固定することができる。棚板１は扉１１に着脱自在であり、扉１１から棚板１を取り外すには取り付けと逆の手順により行う。
【００１５】
また、扉１１には棚板１の背板部５の開口７と対向する位置に通線孔１４が形成され、通線孔１４にはゴム製のグロメット１５が取り付けられている。棚板１に載置される機器は、このグロメット１５に切り込みを入れて機器に接続されるコードを通線してキャビネット１０内に配線するようになっている。
【００１６】
棚板１に載置される機器は使用時は上面板２に載置する。機器を上面板２に載置する場合、機器に接続されるコードは側板部４の切欠６を通過させることができ、前面にコードが通らないので邪魔にならない。また、機器の未使用時は底面板３に載置することで機器に埃が溜まるのを防止することができる。
【図面の簡単な説明】
【００１７】
【図１】本発明に係る棚板を示し、（ａ）は平面図、（ｂ）は正面図、（ｃ）は右側面図である。
【図２】本発明に係る棚板が取り付けられたキャビネットの正面図である。
【図３】本発明に係る棚板を取り付ける様子を示す正面図である。
【図４】本発明に係る棚板を取り付けた状態の正面図である。
【図５】Ａ−Ａ線断面図である。
【符号の説明】
【００１８】
１    棚板
２    上板部
３    底板部
４    側板部
５    背板部
６    切欠
７    開口
８    取付部
９    挿通孔
１０  キャビネット
１１  扉
１２  フック
１３  タップ孔
１４  通線孔
１５  グロメット
１７  ローレットネジ
【図１】
2009195574.tif 000003
【図２】
2009195574.tif 000004
【図３】
2009195574.tif 000005
【図４】
2009195574.tif 000006
【図５】
2009195574.tif 000007
(57)【要約】【課題】部品点数が少なく、組み立てが容易であり、簡単な構造で重量物を支持でき、地震などでも棚板が外れる虞がない棚板支持構造を提供する。【解決手段】左右方向に所定間隔有して上下方向に設けられた少なくとも２本のレール２，２間に棚板１を支持する棚板支持構造であって、左右レール２，２の対向する面の上下方向に複数のスリット孔２ａを形成し、棚板１の前面板部１ａの左右端部に夫々支持片１ｃを左右外方向に突設し、支持片１ｃをレール２のスリット孔２ｃに挿入して支持する。【選択図】図１
2009195573.tif 000002
【特許請求の範囲】
【請求項１】
左右方向に所定間隔有して上下方向に設けられた少なくとも２本のレール間に棚板を支持する棚板支持構造であって、前記左右レールの対向する面の上下方向に複数のスリット孔を形成し、前記棚板の前面板部の左右端部に夫々支持片を左右外方向に突設し、該支持片を前記レールのスリット孔に挿入して支持することを特徴とする棚板支持構造。
【発明の詳細な説明】
【技術分野】
【０００１】
本発明は、キャビネットなどに設けられる棚板の支持構造に関する。
【背景技術】
【０００２】
従来の棚板支持構造は、支柱の上下方向に複数のスリット孔を形成し、このスリット孔にブラケットのフックを係合させて支柱にブラケットを支持し、ブラケット上に棚板を載せ、ブラケットに穿設された穴に棚板の凸部を係合させて取り付けていた（例えば、特許文献１参照。）。
【０００３】
【特許文献１】特開平１０−１２７３７０号公報
【発明の開示】
【発明が解決しようとする課題】
【０００４】
このため、従来のキャビネットの棚板支持構造は部品点数が多く、組み立てが煩雑であった。また、地震などで棚板が外れる虞があった。
【課題を解決するための手段】
【０００５】
本発明は、左右方向に所定間隔有して上下方向に設けられた少なくとも２本のレール間に棚板を支持する棚板支持構造であって、左右レールの対向する面の上下方向に複数のスリット孔を形成し、棚板の前面板部の左右端部に夫々支持片を左右外方向に突設し、支持片をレールのスリット孔に挿入して支持することを特徴とする。
【発明の効果】
【０００６】
本発明によれば、部品点数が少なく、組み立てが容易であり、簡単な構造で重量物を支持でき、地震などでも棚板が外れる虞がないという効果がある。
【発明を実施するための最良の形態】
【０００７】
左右方向に所定間隔有して上下方向に設けられた少なくとも２本のレール間に棚板を支持する棚板支持構造であって、左右レールの対向する面の上下方向に複数のスリット孔を形成し、棚板の前面板部の左右端部に夫々支持片を左右外方向に突設し、支持片をレールのスリット孔に挿入して支持する。
【実施例１】
【０００８】
本発明に係る棚板支持構造の実施例１を図１〜図７の添付図面に基づいて説明する。
【０００９】
図１に示すように、棚板１は左右方向に所定間隔有して上下方向に設けられた少なくとも２本のレール２，２間に設けられる。
【００１０】
図２に示すように、棚板１は上面が矩形板状に形成され、矩形板部１ａの４辺は下方に折曲形成され、折曲された前面板部１ｂの左右両端から左右外方向に支持片１ｃが突設されている。
【００１１】
また、レール２は、図３に示すように断面略コ字状の取付部２ａと、取付部２ａの両端から外側方向に折曲形成された脚部２ｂとで形成され、レール２の対向面となる取付部２ａの前面側端部には上下方向に複数のスリット孔２ｃが形成されている。このように形成されたレール２は、例えばキャビネットの左右内側面にレール２の脚部２ｂを当接させて溶接等により取り付けられる。
【００１２】
棚板１の取り付けは、棚板１を左右何れか一方に傾け、傾けられた下側の支持片１ｃをレール２のスリット孔２ｃに挿入し、図４に示すように支持片１ｃをスリット孔２ｃの下端まで移動させて支持させ、それから、他方の支持片１ｃをレール２の同一高さのスリット孔２ｃに挿入し、支持片１ｃを下端まで移動させて支持させることにより、棚板１はレール２，２間に支持されて取り付けられる。また、図５に示すようにレール２の取付部２ａに形成された挿通孔２ｄに固定ねじ３を挿通させて棚板１の支持片１ｃに形成されたタップ孔１ｄに螺合させることにより確実に固定することができる。
【００１３】
また、棚板１をレール２から取り外すには逆の手順により行う。スリット孔２ｃは高さ方向に複数形成されているので適当なスリット孔２ｃを選択することで取り付け高さを変更することができる。更に、図６に示すようにスリット孔２ｃに沿って所定間隔で複数の挿通孔２ｄを形成することにより、取り付け高さをより細かく変更することも可能であるが、この場合、固定ねじ３による支持になり、スリット孔２ｃによる支持に比べて耐荷重が低くなるので重量物を載せるには不向きである。
【００１４】
尚、棚板１は前面側の２本のレール２，２により支持するようにしたが、図７に示すように棚板１の背面板部１ｅも前面板部１ｂと同様に支持片１ｆを形成し、背面側に２本のレール２，２を設けて合計４本のレール２，２，２，２により支持する構造であっても何ら問題ない。
【図面の簡単な説明】
【００１５】
【図１】本発明に係る棚板支持構造を示すキャビネットの正面図である。
【図２】Ａ−Ａ線断面図である。
【図３】Ｃ部拡大図である。
【図４】Ｂ−Ｂ線断面図である。
【図５】棚板を固定ねじで固定した様子を示す正面図である。
【図６】本発明に係る棚板支持構造の変形実施例を示す正面図である。
【図７】本発明に係る棚板支持構造の変形実施例を示す平面図である。
【符号の説明】
【００１６】
１    棚板
１ａ  矩形板部
１ｂ  前面板部
１ｃ  支持片
１ｄ  タップ孔
１ｅ  背面板部
１ｆ  支持片
２    レール
２ａ  取付部
２ｂ  脚部
２ｃ  スリット孔
２ｄ  挿入孔
３    固定ねじ
【図１】
2009195573.tif 000003
【図２】
2009195573.tif 000004
【図３】
2009195573.tif 000005
【図４】
2009195573.tif 000006
【図５】
2009195573.tif 000007
【図６】
2009195573.tif 000008
【図７】
2009195573.tif 000009
(57)【要約】  【課題】従来のＣＭＳではＣＭＳユーザーは、ＣＭＳコンテンツを更新するためにインターネットに接続されたＰＣからログイン後に更新手続きを行う必要があるため、移動中または外出先等では、ＣＭＳコンテンツを更新することができないという欠点がある。【解決手段】上記課題を解決するために自社システム「ＨＡＲＭＯＮＹ  ＣＭＳ」の携帯電話メール送信による更新システムは、ＣＭＳユーザーが携帯電話メールアドレスを事前登録し、その携帯電話から特定のメールアドレスに「件名」「本文」「画像」を送信することにより、ＣＭＳコンテンツを更新することを可能とする。【選択図】図１
2009104498.tif 000002
【特許請求の範囲】
【請求項１】
ウェブコンテンツを構成するテキスト・画像・レイアウト・情報などを一元的に保存、または管理をし、ウェブサイトを構築したり編集したりするコンテンツマネージメントシステム（以下「ＣＭＳ」という）において、携帯電話メールにより「タイトル」「本文」「画像」を送信することによりＣＭＳコンテンツを編集するシステム。
【発明の詳細な説明】
【技術分野】
【０００１】
本発明は、インターネットにおけるＣＭＳに関する。
【背景技術】
【０００２】
従来のＣＭＳのコンテンツ更新には、インターネットに接続されたパーソナルコンピュータ（以下「ＰＣ」という）から、ＣＭＳサイトにログインし、更新手続きを行う必要がある。
【発明の開示】
【発明が解決しようとする課題】
【０００３】
しかしながら、従来のＣＭＳではＣＭＳユーザーは、ＣＭＳコンテンツを更新するためにインターネットに接続されたＰＣからログイン後に更新手続きを行う必要があるため、移動中または外出先等では、ＣＭＳコンテンツを更新することができないという欠点がある。
【課題を解決するための手段】
【０００４】
上記課題を解決するために自社システム「ＨＡＲＭＯＮＹ  ＣＭＳ」の携帯電話メール送信による更新システムは、ＣＭＳユーザーが携帯電話メールアドレスを事前登録し、その携帯電話から特定のメールアドレスに「件名」「本文」「画像」を送信することにより、ＣＭＳコンテンツを更新することを可能とする。「件名」は「レイアウトに対応するナンバー（レイアウトごとに事前に決定しているもの）」「,（カンマ）」「更新するタイトルテキスト」を入力することにより、対象とするＣＭＳコンテンツを特定し、タイトルテキストを更新することを可能とする。「本文」を入力することにより、「件名」で特定したＣＭＳコンテンツの「更新説明文」を、「画像」は「件名」で特定したＣＭＳコンテンツの「画像」を可能とする。
【発明の効果】
【０００５】
本システムによってＣＭＳユーザーが、インターネットに接続されたＰＣ環境がなくても、メール機能付き携帯電話を所有し、携帯電話を利用することができる環境であれば、どこでもＣＭＳコンテンツを更新することができる。これにより、ＣＭＳユーザーが移動中または外出先であっても、随時ＣＭＳコンテンツを更新することができる。
【発明を実施するための最良の形態】
【０００６】
ＰＣブラウザはInternet Explorer 6.0あるいは7.0（ともにマイクロソフト社登録商標）が望ましい。携帯電話に関しては、メール機能が付いていることを条件とする。
【０００７】
以下、本発明の実施の形態として実施例を図１に基づいて説明する。
【実施例１】
【０００８】
図１において、ＣＭＳユーザーが（１）新規登録時に携帯電話メールアドレスを登録し、ホームページを作成する。（２）登録した携帯電話メールアドレスより「件名」「本文」「画像」を特定のメールドレスに送信する。（３）送信されたデータは本システム内で処理され、（４）ＣＭＳコンテンツが更新されます。
【図面の簡単な説明】
【０００９】
【図１】実施例１の図である。
【図１】
2009104498.tif 000003
(57)【要約】【課題】  この発明の課題は、ストロボの筐体内部の電子回路に接続でき、ストロボ筐体の外部から内部のソフトの変更ができるようにするＵＳＢポート付ストロボを提供するものである。【解決手段】  本発明のＵＳＢポート付ストロボは筐体１の内部に電源のバッテリー、マイコン、昇圧回路、インターフェース回路、コンデンサー、ヘッド部等を必要に応じて含んだ電子回路を内蔵して写真撮影などに用いるように構成したストロボ機能において、前記筐体１に前記電子回路に電子的に接続したＵＳＢポート４を構成してなることを特徴とする。【選択図】図１
2009104009.tif 000002
【特許請求の範囲】
【請求項１】
筐体の内部に電源のバッテリー、マイコン、昇圧回路、インターフェース回路、コンデンサー、ヘッド部等を必要に応じて含んだ電子回路を内蔵して写真撮影などに用いるように構成したストロボ機能において、前記筐体に前記電子回路に電子的に接続したＵＳＢポートを構成してなることを特徴とするＵＳＢポート付ストロボ。
【請求項２】
前記ＵＳＢポートは防水性の蓋構造でなる請求項１記載のＵＳＢポート付ストロボ。
【請求項３】
前記ＵＳＢポートは前記筐体の側部に筐体と一体的に形成してなる請求項１項のＵＳＢポート。
【発明の詳細な説明】
【技術分野】
【０００１】
この発明はＵＳＢ端子を着脱するＵＳＢポート付のストロボに関する。
【背景技術】
【０００２】
従来、所謂外付け型、外置き型のストロボは内臓の電子回路のソフトの書き換えは、いちいち、筐体を外して内部の電子回路にパソコンを接続してソフト変更を行っていた。その為に面倒で、利便性を損ねていた。従来、筐体外部より内部の電子回路に信号を送ってソフトの変更をするストロボはなかった。
【特許文献１】特開２００６−２４３１０５号
【発明の開示】
【発明が解決しようとする課題】
【０００３】
従って、この発明の課題は、ストロボの筐体内部の電子回路に接続でき、ストロボ筐体の外部から内部のソフトの変更ができるようにするＵＳＢポート付ストロボを提供するものである。
【課題を解決するための手段】
【０００４】
上記の課題を解決するために、筐体の内部に電源のバッテリー、マイコン、昇圧回路、インターフェース回路、コンデンサー、ヘッド部等を必要に応じて含んだ電子回路を内蔵して写真撮影などに用いるように構成したストロボ機能において、前記筐体に前記電子回路に電子的に接続したＵＳＢポートを構成することによって、外部から内部のソフト変更が実現できるようにする。
【発明の効果】
【０００５】
この発明によれば外部から、内部の電子回路のソフトを変更でき、作業性がよく、しかも、構造は簡単に実現できるので費用も格安である。
【発明を実施するための最良の形態】
【０００６】
以下、この発明の実施例を添付図面、図１に基づいて説明する。
図１の１はストロボ筐体で、このストロボ筐体１の内部には発光部２及び電子回路基板３を配置している。電子回路基板３にはマイコン、昇圧回路、インターフェース回路、コンデンサー等を含んで電子回路が構成されている。この場合、コンデンサーは基板に搭載されずに内部の空所に装備される場合もある。
【０００７】
電子回路基板３の回路にはＵＳＢポート４のリード線が接続される。この場合ＵＳＢポート４は前記ストロボ筐体１の側部に一体的に形成され、外部に対してＯリングなどによる液密構造の蓋５が形成され、この蓋５は図示のように開閉できるものである。つまり、この蓋５が閉じている場合はストロボ筐体１内部は液密構造で、開いている場合はパソコンなどに接続されたＵＳＢ端子６がＵＳＢポート４に挿入接続される。
【０００８】
次に蓋５が閉じた状態でＵＳＢポート４にＵＳＢ端子６を挿入して内部の電子回路のソフト変更をする場合は前記蓋５を矢印方向に開けるとＵＳＢポート４が現れるからこれにＵＳＢ端子６を矢印Ａ方向から挿入接続する。前記ＵＳＢ端子６はパソコンなどに接続されているからパソコンによってストロボ筐体１内部のソフトを書き換えることができる。
【０００９】
ソフトの書き換えが終了したら前記ＵＳＢ端子６を矢印Ａと反対方向に引き出し、ＵＳＢポート４から外し、前記蓋５を閉じると蓋５は液密構造に予め構造されているから水中に没してもストロボ筐体１内部が浸水することはない。
【産業上の利用可能性】
【００１０】
本発明のＵＳＢポート付ストロボは内部のソフトを書き換え変更するのに便利であり、又、ＵＳＢポートでなくmicroSD接続形式或いはその他の接続形式であってもよいものである。従って、接続の形式の選択の自由度が広がる。
【図面の簡単な説明】
【００１１】
【図１】はこの発明に係わるストロボの斜視図。
【符号の説明】
【００１２】
１、                  ストロボ筐体
２、                  発光部
３、                  電子回路基板
４、                  USBポート
５、                  蓋
６、                  USB端子
【図１】
2009104009.tif 000003
(57)【要約】      （修正有）【課題】ダ−ツボ−ド面とダ−ツの先端をマジックテ−プにし、同時に学習もできる学習ダ−ツボ−ドを提供する。【解決手段】ダ−ツの先端を平らにし、マジックテ−プ（登録商標）４とする。ボ−ドの両面に、ボ−ドの中心から何本も線を引き、出来た枠の中に学習問題を設け中心にマジックテ−プ４を設けた、学習ボ−ド１。ボ−ド面全体にマジックテ−プ４を設け、学習ボ−ド１の線と同様の線を設けたダ−ツボ−ド２。学習ボ−ド１とダ−ツボ−ド２の線を合わせて重ね、ダ−ツ３と学習を同時に出来る様にしたことを特徴とする学習ダ−ツボ−ド１。【選択図】図１
2009104091.tif 000002
【特許請求の範囲】
【請求項１】
ボ−ドの両面に、ボ−ドの中心から何本も線を引き、出来た枠の中に学習問題を設け、中心にマジックテ−プを設けた学習ボ−ド。
ボ−ド面がマジックテ−プのダ−ツボ−ドに、学習ボ−ドと同様の線を設け、その線に合わせて学習ボ−ドを重ねたことを特徴とする学習ダ−ツボ−ド。
【発明の詳細な説明】
【技術分野】
【０００１】本発明は、ダ−ツの先端にマジックテ−プを設け、ボ−ド面にもマジックテ−プを設けた、学習ダ−ツボ−ドに関するものである。
【背景技術】
【０００２】従来、ダ−ツはゲ−ムを競うことが中心になっている。
【発明の開示】
【発明が解決しようとする課題】
【０００３】ダ−ツを投げて楽しみながら、その集中力をいかして学習も同時に行なう。
【課題を解決するための手段】
【０００４】ダ−ツの先端を平らにし、マジックテ−プとする。
ボ−ドの両面に、ボ−ドの中心から何本も線を引き、出来た枠の中に学習問題を設け、中心にマジックテ−プを設けた学習ボ−ド。ボ−ド面全体をマジックテ−プとし、学習ボ−ドの線と同様の線を設けたダ−ツボ−ド。学習ボ−ドとダ−ツボ−ドの線を合わせて重ねた、ダ−ツと学習を同時に出来る様にしたことを特徴する学習ダ−ツボ−ド。
【発明の効果】
【０００５】ダ−ツの先端がマジックテ−プなので、安心してダ−ツゲ−ムに集中できる。
ゲ−ムの中に問題を組み込み、ゲ−ムに対する集中力を生かして学習意欲を高める。
【発明を実施するための最良の形態】
【０００６】ダ−ツ（３）の先端をマジックテ−プ（４）。学習ボ−ド（１）の中心からの線で出来た枠の中に学習問題を設け、ボ−ドの中心にマジックテ−プ（４）を設ける。ダ−ツボ−ド（２）の面をマジックテ−プ（４）とし、学習ボ−ド（１）の線に合わせて同様の線をもうける。
ダ−ツボ−ド（２）と学習ボ−ド（１）を重ねた学習ダ−ツボ−ドに、ダ−ツ（３）を投げてくっついた所の枠内の学習ボ−ド（１）の問題を理解し、答えを書いてゆく。
（学習ボ−ドの問題）        （漢字で書く）          （英語で書く）
例          がっこう                    学校              ａ  ｓｃｈｏｏｌ
はし                      橋                ａ  ｂｒｉｄｇｅ
例    （学習ボ−ドの問題）        （漢字で書く）            （どんな人）
とくがわいえやす            徳川家康              江戸幕府初代将軍
いとうひろふみ              伊藤博文                初代総理大臣
【図面の簡単な説明】
【０００７】
【図１】  本発明の学習ダ−ツボ−ドの一部分の拡大図
【図２】  本発明の学習ダ−ツボ−ド
【図３】  本発明の学習ボ−ド
【図４】  先端がマジックテ−プのダ−ツ
【符号の説明】
【０００８】      １    学習ボ−ド                ２    ダ−ツボ−ド
３    ダ−ツ                    ４    マジックテ−プ
【図１】
2009104091.tif 000003
【図２】
2009104091.tif 000004
【図３】
2009104091.tif 000005
【手続補正書】
【提出日】平成19年12月26日(2007.12.26)
【手続補正１】
【補正対象書類名】図面
【補正対象項目名】全図
【補正方法】変更
【補正の内容】
【図１】
2009104091.tif 000006
【図２】
2009104091.tif 000007
【図３】
2009104091.tif 000008
【図４】
2009104091.tif 000009
(57)【要約】      （修正有）【課題】多種の通貨での借入金等を管理するとき、円貨のみを管理対象とするシステムと多種の通貨を使用するシステムにより付帯プログラムの作成が２重化することと、使用通貨により操作者が複数のシステムを使い分けなければならないという不都合を解決する。【解決手段】金額の入力をセント単位で行い、操作者が通貨を指定して入力すると電算機内に保有する通貨情報でセント単位の有無を判断して入力された数字に小数点等の区切りを自動表示して入力を容易にし、データベースには小数点を付さずにセント単位で保有する。【選択図】図１
2009104566.tif 000002
【特許請求の範囲】
【請求項１】
多種の通貨を管理する金融管理システムにおいて、金額の入力をセント単位で行い、操作者が通貨を指定して入力すると電算機内に保有する通貨情報でセント単位の有無を判断して入力された数字に小数点等の区切りを自動表示して入力を容易にし、データベースには小数点を付さずにセント単位で保有すること。
【発明の詳細な説明】
【技術分野】
【０００１】本発明は金融管理システムで多種の通貨による借入金などを管理するとき、繰上げ返済、元利均等方式キャッシュフロー生成、などの付帯プログラムをおのおの通貨が小数点以下の数値を保有しているかどうかにより異なった処理プログラムを作成しなければならないという問題を、操作者の入力を困難にすることなく解決するためのものである。
【背景技術】
【０００２】従来は金融システムで多種の通貨で構成される借入金等の管理を行うとき、小数点以下の数値を持たない円貨とセント単位を持つドルなどの外貨を管理する場合はどちらも小数点以下のセント単位を加えて入力し、一律に小数点以下の数値があるものとしてデータベース上に保有していた。このように金融管理システムを構築すると円貨のみを管理するシステムと外貨を管理するシステムを別個に構築することとなり、繰上げ返済、キャッシュフローデータの自動生成などの管理プログラムも別個に作成することになって開発負担が増える上、借入金などを管理するとき、通貨によって使用するシステムを切り分ける必要があるなどが発生して、使用上も不便が生じていた。
【発明の開示】
【発明が解決しようとする課題】
【０００３】多種の通貨での借入金等を管理するとき、円貨のみを管理対象とするシステムと多種の通貨を使用するシステムにより付帯プログラムの作成が２重化することと、使用通貨により操作者が複数のシステムを使い分けなければならないという不都合を解決する。
【課題を解決するための手段】
【０００４】金額の入力をセント単位で行い、操作者が通貨を指定して入力すると電算機内に保有する通貨情報でセント単位の有無を判断して入力された数字に小数点等の区切りを自動表示して入力を容易にし、データベースには小数点を付さずにセント単位で保有する。
【発明の効果】
【０００５】操作者は通貨の違いを意識せずに、使用通貨を指定して金額を入力するのみで小数点等がわかり易く入力フィールド上にしめされるので入力が容易になる、借入金などの使用通貨によってシステムを使い分ける必要がなくなる、開発者は円貨か外貨かによって２重にプログラムを作る必要がなく開発負担を減らすことが出来る。
【実施例１】
【０００６】
【図面の簡単な説明】
【０００７】
【図１】本発明での金額入力とデータベースへの収録内容の関係を示す。
【図１】
2009104566.tif 000003
(57)【要約】      （修正有）【課題】人の頭の言語及びイメージの脳波を周波数分析して、パソコン等あらゆる機器に自動入力する装置及びその方法は従来、考えられておらず全く新規性のある装置を実現する。【解決手段】人の頭の言語及びイメージの脳波を周波数分析して、パソコン、工作機械等あらゆる機器に自動入力する。更に、周波数分析出力を周波数から言語に変換してパソコン等に接続する。【選択図】図１
2009104563.tif 000002
【特許請求の範囲】
【請求項１】
人の頭の言語及びイメージの脳波を周波数分析して、パソコン等あらゆる機器に自動入力する装置およびその方法
【発明の詳細な説明】
【技術分野】
【０００１】人の頭の言語及びイメージの脳波を周波数分析して、パソコン等あらゆる機器に自動入力する装置およびその方法
【背景技術】
【０００２】人の頭の言語及びイメージの脳波を周波数分析して、パンコン、工作機械等あらゆる機器に言語・言語及びイメージの脳波で自動入力する装置およびその方法。特許電子図書館、及びＪＤＲＥＡＭ２で検索したところ、全く無かった。
【特許文献１】
【特許文献２】
【非特許文献１】
【非特許文献２】
【発明の開示】
【発明が解決しようとする課題】
【０００３】人の頭の言語及びイメージの脳波を周波数分析して、パソコン等あらゆる機器に自動入力する装置及びその方法は従来、考えられておらず全く新規性のある装置を実現する。
【課題を解決するための手段】
【０００４】人の頭の言語及びイメージの脳波を周波数分析して、パソコン等あらゆる機器に自動入力する装置およびその方法
【発明の効果】
【０００５】人の頭の言語及びイメージの脳波を周波数分析して、パソコン等あらゆる機器に自動入力する装置及びその方法は従来、考えられておらず全く新規性のある装置を実現する。非常に波及効果が大きい。
【発明を実施するための最良の形態】
【０００６】人の頭の言語及びイメージの脳波を周波数分析して、パソコン等あらゆる機器に自動入力する装置及びその方法は従来、考えられておらず全く新規性のある装置を実現する。非常に波及効果が大きい。【０００７】脳波計の出力を周波数分析装置に接続し、その出力を周波数から言語に変換する装置を経て、パソコン等あらゆる機械装置に接続する。
【実施例】
【０００８】人の頭の言語及びイメージの脳波を周波数分析して、パソコン等あらゆる機器に自動入力する装置及びその方法は従来、考えられておらず全く新規性のある装置を実現する。非常に波及効果が大きい。
実施例は下記の図に示す。
【産業上の利用可能性】
【０００９】「人の頭の言語及びイメージの脳波を周波数分析して、パソコン等あらゆる機器に自動入力する装置およびその方法」は産業上の利用可能性は極めて大きい
【図面の簡単な説明】
【００１０】
【図１】実験を基にした仮想図である。
【図２】実験を基にした仮想図である。
【図１】
2009104563.tif 000003
【図２】
2009104563.tif 000004